(57)【要約】【課題】  蒸気管路内周壁面に沿って流下する復水を効率良く分離することによって、高い気液の分離効率を維持することのできる気液分離器を提供する。【解決手段】  分離器ケーシング３の両端部に入口１と出口２を形成する。分離器ケーシング３に円筒形状の液体集合部材４を内蔵する。液体集合部材４と分離器ケーシング３の間に液体通路５を設ける。液体集合部材４の内周側に凸部１３と貫通孔１４を設ける。液体通路５の下端部に液体排出口６を取り付ける。  蒸気管路の内周壁面を流下してきた復水は、気液分離器１２の入口１から流入して、液体集合部材４から液体通路５を通過して液体排出口６から外部へ排出されることによって、復水と蒸気が分離される。【選択図】      図１
2005169349.tif 000002
【特許請求の範囲】
【請求項１】
気体管路内を流下する気体と液体の混合流体を、液体と気体とにそれぞれ分離するものにおいて、気体管路の内周壁面にほぼ沿う円筒形状の液体集合部材を配置し、当該液体集合部材と分離器ケーシングの間に液体通路を形成して、当該液体通路から液体を系外へ排出するための液体排出口を設けると共に、液体集合部材の内周側に凸部と液体通路へ連通する貫通孔とを設けたことを特徴とする気液分離器。
【発明の詳細な説明】
【技術分野】
【０００１】
本発明は、気体管路内を蒸気や圧縮空気や各種ガス等が流下する場合に、混入している復水や凝縮水等の液体を分離する気液分離器に関する。
【背景技術】
【０００２】
気液分離器は、気体と液体の混合流体を、フィルターでろ過して両者を分離したり、旋回流を与えて遠心力により分離したり、あるいは、衝突部材に混合流体を衝突させて分離するものである。
【０００３】
この気液分離器においては、気液分離器へ流入して来るまでの管路内で気体と液体が一旦分離されて流下してくる混合流体を、気液分離器の入口部で本来不必要な気体と液体の混合を行い、次いで気液分離器本体内で再度気体と液体の分離を行っていたために、気液の分離効率を所定値以上へ高めることができない問題点があった。
【０００４】
直管状の気体管路内を気体と、気体に比較して少量の液体との混合流体が流下する場合、液体は円筒状の管路内周壁面に沿って流下しており、内周壁面から離れた管路内部ではほとんど気体のみが流下して、水滴状の液体が流下することはない。内周壁面から離れた管路内部では、目視では確認することのできないミスト状の液体が少量だけ気体に混入して流下している。また、液体は円筒状の管路内周壁面の底壁面だけに沿って流下するものではなく、気体の流れと共に円筒状内周壁面の側壁部や少量ではあるが上壁部に沿っても流下する。
【特許文献１】特開２００２−２８４２２号公報
【発明の開示】
【発明が解決しようとする課題】
【０００５】
解決しようとする問題点は、気液分離器へ流入して来るまでの管路内で一旦分離されている気体と液体の混合流体を、気液分離器の入口部で混合することなく気液分離器へ流入させて気液分離することによって、高い気液の分離効率を維持することのできる気液分離器を提供することである。
【課題を解決するための手段】
【０００６】
本発明は、気体管路内を流下する気体と液体の混合流体を、液体と気体とにそれぞれ分離するものにおいて、気体管路の内周壁面にほぼ沿う円筒形状の液体集合部材を配置し、当該液体集合部材と分離器ケーシングの間に液体通路を形成して、当該液体通路から液体を系外へ排出するための液体排出口を設けると共に、液体集合部材の内周側に凸部と液体通路へ連通する貫通孔とを設けたことを特徴とする。
【発明の効果】
【０００７】
本発明の気液分離器は、気体管路の内周壁面にほぼ沿う円筒形状の液体集合部材を配置して、この液体集合部材と分離器ケーシングの間に液体通路を形成したことにより、気体管路の内周壁面に沿って流下する液体を、液体集合部材から液体通路へ通過させることによって気体と液体を分離することができ、気液分離器の入口部に流下してくるまでに直管状の気体管路で既に分離している気体と液体を、気液分離器の入口部で混合してしまうことはなく、且つ、気体管路の内周壁面の底壁面に沿って流下する液体のみならず、気体管路の内周壁面の側壁部や上壁部に沿って流下する液体も含めて円筒形状の液体集合部材で分離することができ、気体管路内を流下する気体と液体とを確実に分離することができるという利点がある。
【０００８】
また、本発明の気液分離器は、液体集合部材の内周側に凸部と液体通路へ連通する貫通孔とを設けたことによって、万一、液体集合部材の内周側に液体が流入してきても、凸部でその液体を堰き止めて貫通孔から液体通路へと流下させることにより、確実に気体と液体を分離することができる。
【発明を実施するための最良の形態】
【０００９】
本発明は、気体管路の内周壁面にほぼ沿う円筒形状の液体集合部材を配置して、気体管路内を流下してくる蒸気や圧縮空気、あるいは、各種ガス等から混入している復水や凝縮水等の液体を分離するものであり、既設の気体管路の一部を改良するだけですみ、簡単に気液分離器を設置することができる。
【実施例１】
【００１０】
本実施例においては、蒸気配管中に混在する蒸気の凝縮水としての復水を蒸気と分離する気液分離器の例を説明する。図１において、入口１と出口２をほぼ同軸上に形成した円筒形状の分離器ケーシング３と、分離器ケーシング３内に配置した同じく円筒形状の液体集合部材４と、液体集合部材４の外周に設けた液体通路５、及び、液体通路５の下端部に取り付けた液体排出口６とで気液分離器１２を構成する。
【００１１】
入口１には図示しない直管状の入口側蒸気管路を接続し、同様に、出口２には出口側蒸気配管を接続する。この入口側蒸気管路の内径と入口１の内径を同じ径とする。入口１の近傍に液体集合部材４の入口1側端部９を開口すると共に、液体集合部材４の外周と分離器ケーシング３の内周との間に液体通路５を形成する。液体集合部材４の内周側に凸部１３と貫通孔１４を一対にして複数個設ける。凸部１３と貫通孔１４の位置は、貫通孔１４を入口１側に、凸部１３を出口２側に位置させる。
【００１２】
本実施例においては、液体集合部材４の下部に２個の凸部１３と貫通孔１４を配置し、上部に１個の凸部１３と貫通孔１４を配置した例を示したが、これらの配置数及び場所は流下してくる液体の量及び場所に応じて適宜選定することができる。また、本実施例においては、凸部１３を液体集合部材４の内周の部分円周すなわち円弧状に取り付けた例を示したが、凸部１３は、液体集合部材４の内周の全周に形成することもできる。更に、全周に形成した凸部を連続した螺旋状とすることもできる。
【００１３】
液体通路５の断面積は、下方の通路断面積７が上方の通路断面積８よりも大きくなるように、分離器ケーシング３の中心軸と液体集合部材４の中心軸とを一致させることなく、液体集合部材４の中心軸が所定距離だけ上方に位置するように配置する。円筒形状の液体集合部材４の入口１側端部９は、入口１の内径よりも僅かに小さい径とする。
【００１４】
入口１と液体通路７，８は連続して且つ滑らかに接続する。液体通路７，８は、円筒形状の液体集合部材４の全周を覆う形状にすると共に、その下端部に液体排出口６を取り付ける。液体排出口６には液体排出管１０とバルブ１１を取り付ける。バルブ１１は、その弁開度を微小開度から全開まで任意に調節できるものが好ましい。
【００１５】
入口１に接続した入口側蒸気管路内を左側から流下してきた蒸気と復水の混合流体の復水は、蒸気管路の内周壁面の底壁面のみならず側壁面あるいは上方壁面等にも沿って流下してくる。このように、蒸気管路の内周壁面を流下してきた復水は、入口１から分離器ケーシング３内に至り、円筒形状の液体集合部材４の端部９から液体通路７，８へと導かれることによって、管路の中央部分を流下する蒸気と分離される。気液分離された蒸気は出口２から所定箇所へと流下し、一方、復水は液体通路７の液体排出口６からバルブ１１を介して系外へ排出される。
【００１６】
入口１から流入してくる復水の一部が、液体集合部材４の内周側に至った場合、その復水は凸部１３で堰き止められて貫通孔１４から液体通路７，８内へと流下することによって、蒸気と復水を確実に気液分離することができる。
【００１７】
このように、蒸気管路から気液分離器１２へ流下する蒸気と復水の混合流体から、蒸気と復水を確実に気液分離することができる。
【００１８】
本実施例においては、液体集合部材４を円筒形状として分離器ケーシング３内の全周に配置する例を示したが、液体集合部材４を部分円筒形状として復水の流入し易い箇所だけに液体集合部材を配置することもできる。
【産業上の利用可能性】
【００１９】
蒸気管路の内周壁面に沿って流下する復水を、簡単な構成で効率的に分離することができる。
【図面の簡単な説明】
【００２０】
【図１】本発明の気液分離器の実施例を示す断面構成図。
【符号の説明】
【００２１】
１  入口
２  出口
３  分離器ケーシング
４  液体集合部材
５，７，８  液体通路
６  液体排出口
１３  凸部
１４  貫通孔 
【図１】
2005169349.tif 000003